(57)【要約】【課題】閉塞状態においては蓋体を安定的に保持できるとともに、開口部の奥行方向の両側から選択可能且つ容易に開くことが出来る天板における蓋体の開閉機構を提供すること。【解決手段】開口部１２の閉塞状態において、突出位置に向けて付勢された一対の突軸１３ａ、１３ｂにより蓋体１１の奥行方向の両側が枢支されるとともに、開放操作部１５ａ、１５ｂの操作に応じて一方の突軸１３ａ、１３ｂが退避位置に退避されることで、蓋体１１は他方の突軸１３ａ、１３ｂにより回動可能に枢支されて開放可能となる。【選択図】図２
2008119262.tif 000002
【特許請求の範囲】
【請求項１】
天板に形成された開口部を閉塞する蓋体を、前記開口部の奥行方向の両側から開閉可能に支持した天板における蓋体の開閉機構であって、
前記開口部の奥行方向の両側に、前記開口部内に突出した突出位置と前記開口部外方に向けて退避した退避位置との間で出退自在に設けられるとともに、前記突出位置において前記蓋体を回動可能に枢支する一対の突軸と、
前記一対の突軸を前記開口部に向けて軸心方向に付勢する突軸付勢手段と、
前記蓋体を開放する際に操作される開放操作部を有するとともに、該開放操作部の操作に応じて前記一対の突軸のうち少なくとも一方を前記開口部外に退避させる開放手段と、
を備え、
前記開口部の閉塞状態において、前記突出位置に向けて付勢された一対の突軸により前記蓋体の奥行方向の両側が枢支されるとともに、前記開放操作部の操作に応じて一方の突軸が前記退避位置に退避されることで、前記蓋体は他方の突軸により回動可能に枢支されて開放可能となることを特徴とする天板における蓋体の開閉機構。
【請求項２】
前記開口部の奥行方向の両側において前記蓋体を上方に付勢する蓋体付勢手段を備えることを特徴とする請求項１に記載の天板における蓋体の開閉機構。
【請求項３】
前記開口部の側方に中空構造を有する収容部を形成し、該収容部の上面に前記開放操作部を設けるとともに、該収容部内に前記突軸付勢手段を設けたことを特徴とする請求項１または２に記載の天板における蓋体の開閉機構。
【請求項４】
前記開放手段は、前記開放操作部を上下方向に操作可能とする上下操作機構と、前記突軸を略水平方向に出退させる水平出退機構と、前記上下操作機構の上下動作を前記水平出退機構の水平動作に伝達する伝達機構と、を有し、前記上下操作機構、前記水平出退機構及び前記伝達機構は前記収容部に収容されていることを特徴とする請求項３に記載の天板における蓋体の開閉機構。
【請求項５】
前記開口部及び前記収容部が一体化された枠体を形成し、該枠体を、前記天板に形成した天板開口に装着可能としたことを特徴とする請求項３または４に記載の天板における蓋体の開閉機構。
【発明の詳細な説明】
【技術分野】
【０００１】
本発明は、天板に形成された開口部を閉塞する蓋体を、この開口部の奥行方向の両側から開閉可能に支持した天板における蓋体の開閉機構に関する。
【背景技術】
【０００２】
従来の天板における蓋体の開閉機構は、テーブル若しくは机等の天板に形成された開口部を蓋体によって閉塞し、且つこの蓋体を長手方向の両端部において手で取外し可能としている（例えば、特許文献１参照）。
【０００３】
【特許文献１】特開２００４−２９８６５７号公報（第７頁、第８図）
【発明の開示】
【発明が解決しようとする課題】
【０００４】
しかしながら、特許文献１に記載の天板における蓋体の開閉機構にあっては、蓋体が開口部に設けられた軸部に対して手で着脱可能に嵌合されているので、蓋体の着脱を繰り返し行うことで蓋体が外れ易くなり、閉塞状態においても蓋体を安定的に保持出来ない虞が生じていた。また、開口部の奥行方向の選択した一方側から蓋体を開放する場合に、人の力加減によっては、軸部の嵌合が所定に外れずに、蓋体の着脱が容易に出来ない虞が生じていた。
【０００５】
本発明は、このような問題点に着目してなされたもので、閉塞状態においては蓋体を安定的に保持できるとともに、開口部の奥行方向の両側から選択可能且つ容易に開くことが出来る天板における蓋体の開閉機構を提供することを目的とする。
【課題を解決するための手段】
【０００６】
上記課題を解決するために、本発明の請求項１に記載の天板における蓋体の開閉機構は、
天板に形成された開口部を閉塞する蓋体を、前記開口部の奥行方向の両側から開閉可能に支持した天板における蓋体の開閉機構であって、
前記開口部の奥行方向の両側に、前記開口部内に突出した突出位置と前記開口部外方に向けて退避した退避位置との間で出退自在に設けられるとともに、前記突出位置において前記蓋体を回動可能に枢支する一対の突軸と、
前記一対の突軸を前記開口部に向けて軸心方向に付勢する突軸付勢手段と、
前記蓋体を開放する際に操作される開放操作部を有するとともに、該開放操作部の操作に応じて前記一対の突軸のうち少なくとも一方を前記開口部外に退避させる開放手段と、
を備え、
前記開口部の閉塞状態において、前記突出位置に向けて付勢された一対の突軸により前記蓋体の奥行方向の両側が枢支されるとともに、前記開放操作部の操作に応じて一方の突軸が前記退避位置に退避されることで、前記蓋体は他方の突軸により回動可能に枢支されて開放可能となることを特徴としている。
この特徴によれば、開口部の閉塞状態においては、蓋体の奥行方向の両側が、突軸付勢手段により付勢された一対の突軸により枢支されるので安定的に保持されるとともに、開放操作部の操作により一方の突軸が開口部から退避することにより、他方の突軸を中心に蓋体が回動可能となるため、開口部の奥行方向の両側から選択可能且つ容易に開口部を開放することが出来る。
【０００７】
本発明の請求項２に記載の天板における蓋体の開閉機構は、請求項１に記載の天板における蓋体の開閉機構であって、
前記開口部の奥行方向の両側において前記蓋体を上方に付勢する蓋体付勢手段を備えることを特徴としている。
この特徴によれば、開放操作部の操作により一方の突軸が開口部から退避したときに、蓋体の奥行方向における退避した突軸側の端部が開口部の上方に押し上げられるため、蓋体に取手部等を設けることなく、蓋体を容易に開放することができる。
【０００８】
本発明の請求項３に記載の天板における蓋体の開閉機構は、請求項１または２に記載の天板における蓋体の開閉機構であって、
前記開口部の側方に中空構造を有する収容部を形成し、該収容部の上面に前記開放操作部を設けるとともに、該収容部内に前記突軸付勢手段を設けたことを特徴としている。
この特徴によれば、蓋体を開くための開放操作部と突軸付勢手段とを中空構造の収容部に設けているため、開口部の内部スペースを例えば配線空間として確保出来るばかりか、開放操作部の開放操作がより行い易くなる。
【０００９】
本発明の請求項４に記載の天板における蓋体の開閉機構は、請求項３に記載の天板における蓋体の開閉機構であって、
前記開放手段は、前記開放操作部を上下方向に操作可能とする上下操作機構と、前記突軸を略水平方向に出退させる水平出退機構と、前記上下操作機構の上下動作を前記水平出退機構の水平動作に伝達する伝達機構と、を有し、前記上下操作機構、前記水平出退機構及び前記伝達機構は前記収容部に収容されていることを特徴としている。
この特徴によれば、開放操作部の押下操作による上下方向の動作を、伝達機構を介して突軸の略水平方向の出退移動に伝達することができるため、開放操作部による開放操作が容易になる。
【００１０】
本発明の請求項５に記載の天板における蓋体の開閉機構は、請求項３または４に記載の天板における蓋体の開閉機構であって、
前記開口部及び前記収容部が一体化された枠体を形成し、該枠体を、前記天板に形成した天板開口に装着可能としたことを特徴としている。
この特徴によれば、蓋体の開閉機構を一体化した枠体として天板に設置出来るため、蓋体の開閉機構の天板への取付作業が容易となる。
【発明を実施するための最良の形態】
【００１１】
本発明の実施例を以下に説明する。
【実施例１】
【００１２】
本発明の実施例を図面に基づいて説明すると、先ず図１は、本発明の実施例１における蓋体を取付けたテーブルの全体像を示す斜視図である。図２（ａ）は、蓋体を奥行方向の一方側から開放した状態を示す斜視図であり、（ｂ）は、（ａ）と同じく他方側から開放した状態を示す斜視図である。図３（ａ）は、蓋体を閉塞した状態における開口部の長手方向端部を示す斜視図であり、（ｂ）は、（ａ）と同じく蓋体を開放した状態における開口部の長手方向端部を示す斜視図である。図４（ａ）は、蓋体を閉塞した状態における収容部内を示す上面図であり、（ｂ）は、（ａ）と同じく開放ボタンを押圧した場合の収容部内を示す上面図である。図５（ａ）は、図４（ａ）のＡ−Ａ断面図であり、（ｂ）は、図４（ｂ）のＡ’−Ａ’断面図である。
【００１３】
図１に示されるように、本実施例の蓋体１１を備えた開口ユニット１０が取付けられるテーブル１は、長辺部３ａと短辺部３ｂとを有する矩形状からなる天板３と、天板３の周辺角部において接続される４本の脚部２とからなる。以下、長辺部３ａが形成される方向を長手（左右）方向とし、短辺部３ｂが形成される方向を奥行（前後）方向とする。天板３の上面視略中央には、長手方向に長寸であって奥行方向に短寸の矩形状の天板開口４が形成されており、天板開口４より若干小寸に形成された矩形状の枠体としての開口ユニット１０が、天板開口４に嵌合されている。
【００１４】
開口ユニット１０は、長手方向に延びるとともに上方が開口した内空構造の開口部１２と、この開口部１２を閉塞する蓋体１１と、開口部１２の長手方向両端部の外側方に設けられた内空構造を有する収容部１６、１６とを一体化しており、天板３下面に天板開口４に沿って固着された支持部材５上に載置することで、天板３へ取付けることが出来る。
開口部１２の内部に、例えばテーブル１の天板３に載置した電子機器や照明機器等に電源を供給する電源ケーブルや通信ケーブル等を配置することで、天板３上の作業環境を良くするとともに、美観体裁を整えることが出来るように成っている。
【００１５】
図２（ａ）に示されるように、開口部１２の長手方向両端部の内側面夫々において、長手方向の仮想の軸心が一致して対向する突軸１３ａ、１３ａ及び突軸１３ｂ、１３ｂが、後述のように開口部１２内に対して出退自在に設けられている。より詳しくは、左右の突軸１３ａ、１３ａと突軸１３ｂ、１３ｂとは、互いに奥行方向に離間して配設されており、夫々の突軸１３ａ、１３ａ及び突軸１３ｂ、１３ｂは、開口部１２内に突出して蓋体１１の奥行方向の両端部に枢支される突出位置と、開口部１２外の収容部１６内に退避する退避位置と、の間で水平方向に向けて移動自在に設けられるとともに、後述する突軸付勢手段としての板ばね１７により、常時前記突出位置に向けて付勢された状態で設けられている。尚、収容部１６、１６は、後述する突軸１３ａ、１３ａ、１３ｂ、１３ｂが退避する方向に設けられ、退避した突軸１３ａ、１３ａ、１３ｂ、１３ｂを内部に収容するように配置することが好ましい。
【００１６】
また、開口部１２の長手方向両端部の内側面における突軸１３ａと突軸１３ｂとの間に、蓋体付勢手段としての板ばね１４が設置されており、開口部１２の奥行方向の両側において蓋体１１を上方に付勢している。
【００１７】
蓋体１１は、開口部１２を閉塞する略矩形状の板体からなり、長手方向両端部の外側面に、上記した一対の突軸１３ａ、１３ａが嵌合可能な丸孔状の穿孔１１ａ、１１ａが穿設されているとともに、突軸１３ｂ、１３ｂと嵌合可能な穿孔１１ｂ、１１ｂが穿設されている。
【００１８】
上記構成により、蓋体１１の閉塞状態においては、蓋体１１の丸孔状の穿孔１１ａ、１１ａ、１１ｂ、１１ｂが、夫々突軸１３ａ、１３ａ、１３ｂ、１３ｂに嵌合し枢支されていることで、上記嵌合した状態においては、蓋体１１を上方へ開放しようとしても、丸孔状の穿孔１１ａ、１１ａ、１１ｂ、１１ｂと、突軸１３ａ、１３ａ、１３ｂ、１３ｂとが外れることはなく、即ち蓋体１１は上方へ開放不能に保持される。
【００１９】
次に、突軸１３ａ、１３ａ、１３ｂ、１３ｂの出退機構を図３〜図５に基づいて説明する。尚、突軸１３ａ、１３ａ、１３ｂ、１３ｂの出退機構はそれぞれ同様に構成されているため、以下においては突軸１３ａの出退機構のみを説明し、他の突軸１３ａ、１３ｂ、１３ｂの説明は省略することとする。
【００２０】
突軸１３ａは、開口部１２と収容部１６とを仕切る内壁１６ａに長手方向に形成された孔部１６ｂに挿通されているとともに、収容部１６内に設置された移動体１８に一体に形成されている。移動体１８は、図示しないガイド部材により開口部１２の長手方向に向けて略水平方向に往復動自在に設けられているとともに、移動体１８における開口部１２側の端部に形成された上下方向を向く壁部１８ａにおける開口部１２との対向面上部に、突軸１３ａが開口部１２側に向けて突設されている。そして、壁部１８ａにおける開口部１２と反対側の面に当接する突軸付勢手段としての板ばね１７により、開口部１２内に突出する突出位置に向けて常時付勢されている。
【００２１】
つまり移動体１８は、突軸１３ａが、開口部１２内に突出する突出位置と開口部１２外の収容部１６内に退避する退避位置との間で移動自在となるように、開口部１２の長手方向に向けて往復動自在に設けられているとともに、突軸１３ａが前記突出位置に向けて常時付勢されるように、板ばね１７により開口部１２側に向けて常時付勢されている。すなわち、突軸１３ａを有する移動体１８と、該移動体１８を往復動自在にガイドする図示しない前記ガイド部材とは、突軸１３ａを略水平方向に出退させる本発明の水平出退機構を構成している。
【００２２】
収容部１６の上面には、蓋体１１の開放操作部としての開放ボタン１５ａがガイド部材により上下方向に移動自在に設けられているとともに、開放ボタン１５ａの背面側に、上方から下方に向かって開口部１２側に漸次傾斜する傾斜部１９が形成され、この傾斜部１９は、移動体１８に設けられた凸部１８ｂにおける開口部１２側の端部に当接されている。つまり開放ボタン１５ａ、該開放ボタン１５ａを上下方向に移動自在にガイドするガイド部材は、開放操作部としての開放ボタン１５ａを上下方向に操作可能とする本発明の上下操作機構を構成している。
【００２３】
この移動体１８の凸部１８ｂは、上記した板ばね１７により開口部１２に向かって略水平方向（長手方向）に付勢されているため、この水平方向の付勢力が傾斜部１９を介して開放ボタン１５ａを上方に向かって上下方向に付勢する付勢力として伝達されている。つまり、移動体１８の凸部１８ｂ及び傾斜部１９は、前記上下操作機構を構成する開放ボタン１５ａの上下動作を、前記水平出退機構を構成する移動体１８の水平動作に伝達する本発明の伝達機構を構成している。
【００２４】
尚、開口部１２の長手方向両端部において、奥行方向に離間して合計４箇所設置された突軸１３ａ、１３ａ、１３ｂ、１３ｂは、これら各突軸１３ａ、１３ａ、１３ｂ、１３ｂに対応して収容部１６、１６の上面に奥行方向に離間して合計４箇所設けられた夫々の開放ボタン１５ａ、１５ａ、１５ｂ、１５ｂに、前記上下操作機構、前記水平出退機構及び前記伝達機構からなる本発明の開放手段を介して連係されている。
【００２５】
次に、蓋体１１の開放操作について説明すると、図５（ａ）に示されるように、奥行方向に離間したいずれか一方の開放ボタン、即ち、開放ボタン１５ａ、１５ａ若しくは開放ボタン１５ｂ、１５ｂのいずれかを上記した板ばね１７の付勢力に抗して押下する。
【００２６】
図５（ｂ）に示されるように、例えば、長手方向両端部において開放ボタン１５ａ、１５ａを押下することで、傾斜部１９が下方に移動しながら、凸部１８ｂを図示右側に押圧するとともに、移動体１８に設けられた突軸１３ａ、１３ａを図示右側、つまり退避位置に向けて押圧する。
【００２７】
そして、長手方向両端部において穿孔１１ａに嵌合された夫々の突軸１３ａが外れると、上向き付勢する板ばね１４により、蓋体１１の突軸１３ａ側が上方に押上げられる。このように上方に押上げられた蓋体１１は、未だ穿孔１１ｂに嵌合されている突軸１３ｂ回りに回動可能となり、人の手によって上方に開放出来ることとなる。
【００２８】
また、奥行方向に離間した開放ボタン１５ｂ、１５ｂを押下した場合も、上記と同様の動作により、突軸１３ｂ、１３ｂの嵌合が外れ、突軸１３ａ、１３ａ回りに回動可能となり、上方に開放出来る。即ち、開放ボタン１５ａ、１５ａ若しくは開放ボタン１５ｂ、１５ｂのいずれかを選択して押下することで、突軸１３ａ、１３ａまたは突軸１３ｂ、１３ｂが突出位置から退避位置に退避されるため、開口部１２の奥行方向の両側から開閉出来るように成っている。
【００２９】
更に、開放ボタン１５ａ、１５ａを押下するとともに、開放ボタン１５ｂ、１５ｂを押下することで、合計４箇所設置された突軸１３ａ、１３ａ、１３ｂ、１３ｂへの蓋体１１の嵌合が全て外れるため、蓋体１１を開口部１２から取り除くことも出来る。
【００３０】
次に、蓋体１１の閉塞操作について説明すると、図に示されるように、穿孔１１ａの下方において、下方に向かって突軸１３ａから離間するようにテーパ面２１が形成されている。また、突軸１３ａの開口部１２側の端面は、テーパ面２１と略平行のテーパ面２２に形成されている。尚、特に図示しないが、合計４箇所の穿孔１１ａ、１１ａ、１１ｂ、１１ｂの下方において、上記と同様のテーパ面が夫々形成されているとともに、合計４箇所の突軸１３ａ、１３ａ、１３ｂ、１３ｂの端面は、上記と同様のテーパ面に夫々形成されている。
【００３１】
突軸１３ｂ（図示略）回りに蓋体１１を板ばね１４の付勢に抗して下方に向かって押圧することで、蓋体１１のテーパ面２１が、突軸１３ａのテーパ面２２と当接し、板ばね１７の付勢に抗して突軸１３ａを図示右側、つまり退避位置に向けて押圧する。そして図に示されるように、蓋体１１を更に下方に押圧し、テーパ面２１がテーパ面２２と離間するとともに、図示右側に押圧された突軸１３ａが、板ばね１７により付勢されて図示左側、つまり突出位置に向けて移動し、穿孔１１ａに突入して嵌合する。
【００３２】
このように、蓋体１１のテーパ面２１と、テーパ面２１に略平行のテーパ面２２を利用して蓋体１１を押圧することで、特段の嵌合操作を要せずに蓋体１１により開口部１２を閉塞した状態で、突軸１３ａ、１３ａ及び突軸１３ｂ、１３ｂを穿孔１１ａ、１１ｂに嵌合（枢支）できる。
【００３３】
上記した構成を備えた蓋体１１の開閉機構の特徴によれば、開口部１２の閉塞状態においては、蓋体１１の奥行方向の両側が、突軸付勢手段としての板ばね１７により付勢された一対の突軸１３ａ、１３ａまたは突軸１３ｂ、１３ｂにより枢支されるので、安定的に保持されるとともに、開放操作部としての開放ボタン１５ａ、１５ａ（または１５ｂ、１５ｂ）の操作により一方の突軸１３ａ、１３ａ（または突軸１３ｂ、１３ｂ）が開口部１２内の突出位置から収容部１２内の退避位置まで退避することにより、他方の突軸１３ｂ、１３ｂ（または突軸１３ａ、１３ａ）を中心に蓋体１１が回動可能となるため、開口部１２の奥行方向の両側から選択可能且つ容易に開口部１２を開放することが出来る。
【００３４】
また、開口部１２の奥行方向の両側において蓋体１１を上方に付勢する蓋体付勢手段としての板ばね１４を備えることにより、開放ボタン１５ａ、１５ａ（または開放ボタン１５ｂ１５ｂ）の操作により一方の突軸１３ａ、１３ａ（または突軸１３ｂ、１３ｂ）が開口部１２から退避したときに、蓋体１１の奥行方向における退避した突軸１３ａ、１３ａ（または突軸１３ｂ、１３ｂ）側の端部が開口部１２の上方に押し上げられるため、蓋体１１に取手部等を設けることなく、蓋体１１を容易に開放することができる。
【００３５】
さらに、本実施例のように、開口部１２のほぼ全域を閉塞可能な蓋体１１を、閉塞状態においてその上面が天板３の上面とほぼ面一になるように配設しても、開放ボタン１５ａ、１５ｂの操作により一方の長辺側が開口部１２の上方に押し上げられ、これにより蓋体１１の端部を把持して開放させることができるため、閉塞状態において蓋体１１の上面と天板３の上面との間に段部等が形成されることがないので、天板３の使用性が損なわれることがない。
【００３６】
また、上記した蓋体１１の開閉機構の特徴によれば、蓋体１１を開くための開放ボタン１５ａ（若しくは開放ボタン１５ｂ）と板ばね１４とを中空構造の収容部１６に設けているため、開口部１２のスペースを例えば配線空間として確保出来るばかりか、開放ボタン１５ａ（若しくは開放ボタン１５ｂ）の開放操作がより行い易い。
【００３７】
また、上記した蓋体１１の開閉機構の特徴によれば、開放ボタン１５ａ（若しくは開放ボタン１５ｂ）の上下操作機構と突軸の水平出退機構とを連結する傾斜部１９により、開放ボタン１５ａ（若しくは開放ボタン１５ｂ）の押下操作による上下方向の動作を、略水平方向に出退する突軸１３ａ（若しくは突軸１３ｂ）に伝達することで、突軸１３ａ（若しくは突軸１３ｂ）の出退が行い易い。
【００３８】
更に、上記した蓋体１１の開閉機構の特徴によれば、蓋体１１の開閉機構を一体化した枠体として天板３の天板開口４に設置出来るため、蓋体１１の開閉機構の天板３への取付作業が容易である。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、上記実施例では、突軸１３ａ（若しくは突軸１３ｂ）は、開口部１２の長手方向両端部の夫々において軸心が一致して対向するように設置されているが、突軸の設置箇所は、必ずしも本実施例に限られず、例えば開口部における長手方向の一方の端部のみに設置されていてもよい。
【００４１】
また、上記実施例では、開放操作部として上下方向に押下操作可能な上下操作機能を有する開放ボタン１５ａ（若しくは開放ボタン１５ｂ）が示されているが、開放操作部の操作機構は、必ずしも本実施例に限られず、例えば所定方向にスライド動可能なスライド操作機能を有する開放操作部をスライド操作することで、蓋体を奥行方向に選択可能に開放するようにしてもよい。
【００４２】
また、上記実施例では、突軸１３ａ（若しくは突軸１３ｂ）を出退させる開放操作部としての開放ボタン１５ａ（若しくは開放ボタン１５ｂ）が、各突軸ごとに対応して個別に設けられているが、開放操作部の設置数は、必ずしも本実施例に限られず、例えば開口部の両端部に軸心を一致して設けられた夫々の突軸を同時に出退させる一つの開放操作部が設けられていてもよい。さらに、１つの開放操作部の操作態様を変えることで、突軸１３ａ若しくは突軸１３ｂを選択的に退避させることができるようにしてもよい。
【図面の簡単な説明】
【００４３】
【図１】本発明の実施例１における蓋体を取付けたテーブルの全体像を示す斜視図である。
【図２】（ａ）は、蓋体を奥行方向の一方側から開放した状態を示す斜視図であり、（ｂ）は、（ａ）と同じく他方側から開放した状態を示す斜視図である。
【図３】（ａ）は、蓋体を閉塞した状態における開口部の長手方向端部を示す斜視図であり、（ｂ）は、（ａ）と同じく蓋体を開放した状態における開口部の長手方向端部を示す斜視図である。
【図４】（ａ）は、蓋体を閉塞した状態における収容部内を示す上面図であり、（ｂ）は、（ａ）と同じく開放ボタンを押圧した場合の収容部内を示す上面図である。
【図５】（ａ）は、図４（ａ）のＡ−Ａ断面図であり、（ｂ）は、図４（ｂ）のＡ’−Ａ’断面図である。
【符号の説明】
【００４４】
１                テーブル
２                脚部
３                天板
４                天板開口
１０              開口ユニット（枠体）
１１              蓋体
１１ａ、１１ｂ    穿孔
１２              開口部
１３ａ、１３ｂ    突軸
１４              板ばね（蓋体付勢手段）
１５ａ、１５ｂ    開放ボタン（開放操作部）
１６              収容部
１７              板ばね（突軸付勢手段）
１８              移動体
１９              傾斜部
【図１】
2008119262.tif 000003
【図２】
2008119262.tif 000004
【図３】
2008119262.tif 000005
【図４】
2008119262.tif 000006
【図５】
2008119262.tif 000007